(57)【要約】【課題】キャビネットやＰＤＰに不要な負荷がかかっていた。【解決手段】足部材６０と接続するブラケット２０に対し、アタッチメント５０を介在させて、ＰＤＰ１０を固定する。また、ブラケット２０の枠体当接面２２ａ，２２ｂに対して、枠体３０を固定する。そして、最後にキャビネット４０を枠体３０に対して固定する。その結果ＰＤＰ１０の重量を受けることによるキャビネット４０の歪み等の不良を防止し、かつ、キャビネット４０が受けた負荷のＰＤＰ１０への伝播を極力抑えることができる。また、製品の製造過程においても、キャビネット４０への不要な衝撃や負荷を避けることができる。【選択図】  図４
2005308797.tif 000002
【特許請求の範囲】
【請求項１】
前面壁の略中央に略矩形の開口を形成したキャビネットと、同開口に表示面を向けた状態で同キャビネット内に配設されるプラズマディスプレイパネルとを備えるプラズマテレビジョンにおいて、
長板状部材を上端部位と下端部位とにおいて同一面側に屈曲させ、かつ同屈曲した上端部位および下端部位の各先端部を長板状部材の上端部位と下端部位とを接続する部位と略平行となるように屈曲させた形状であり、略垂直に立設する足部材と接続し上記プラズマテレビジョンの略全体を所定高さ位置に支持するためのブラケットと、
背面側において所定の接続部材を介在させて上記ブラケットに固定される上記プラズマディスプレイパネルと、
上記プラズマディスプレイパネルの縁部を囲み、上記ブラケットの上端部位および下端部位の各先端部と対向する部位において同ブラケットに対して固定される枠部材と、
上記枠部材を内部に収容し同枠部材に対して固定される上記キャビネットと、
を備えることを特徴とするプラズマテレビジョン。
【請求項２】
キャビネットと、同キャビネット内に配設されるパネル型表示装置とを備えるパネル表示型テレビジョンであって、
上記パネル型表示装置と同パネル型表示装置の縁部を覆う縁部材とは、互いに重量をかけ合わない状態で、パネル表示型テレビジョンの略全体を支持するための支持部材に対して夫々に固定され、
上記キャビネットは、上記支持部材に固定された縁部材に対して固定されることを特徴とするパネル表示型テレビジョン。
【請求項３】
上記支持部材は、略垂直に立設する足部材と、同足部材に接続することによりパネル表示型テレビジョンの略全体を所定高さ位置に支持するブラケットとからなることを特徴とする請求項２に記載のパネル表示型テレビジョン。
【請求項４】
上記パネル型表示装置は、所定の接続部材を介して上記支持部材に固定されることを特徴とする請求項２または請求項３のいずれかに記載のパネル表示型テレビジョン。
【請求項５】
上記ブラケットは、長板状部材を上端部位と下端部位とにおいて同一面側に屈曲させ、かつ同屈曲した上端部位および下端部位の各先端部を長板状部材の上端部位と下端部位とを接続する部位と略平行となるように屈曲させた形状であるとともに、上端部位および下端部位の各先端部において対向する上記縁部材の部位を固定することを特徴とする請求項２〜請求項４のいずれかに記載のパネル表示型テレビジョン。
【請求項６】
上記パネル型表示装置は、プラズマディスプレイパネルであることを特徴とする請求項２〜請求項５のいずれかに記載のパネル表示型テレビジョン。
【請求項７】
キャビネットと、同キャビネット内に配設されるパネル型表示装置とを備えるパネル表示型テレビジョンを組立てるパネル表示型テレビジョン組立方法であって、
上記パネル型表示装置と同パネル型表示装置の縁部を覆う縁部材とを、パネル表示型テレビジョンの略全体を支持するための支持部材に対して夫々に固定し、同支持部材に固定された上記縁部材に対し上記キャビネットを固定することを特徴とするパネル表示型テレビジョン組立方法。
【発明の詳細な説明】
【技術分野】
【０００１】
本発明は、プラズマテレビジョン、パネル表示型テレビジョンおよびパネル表示型テレビジョン組立方法に関する。
【背景技術】
【０００２】
従来、パネル型表示装置を薄型テレビジョンのキャビネット内に配設する場合は、図５に示すように、フロントキャビネット１に対して、パネル型表示装置２を、所定の接続部材３を介して取付けていた。
【０００３】
また、従来技術として、カラー液晶ディスプレイ２にブラケット３を止めネジ１１によって固定し、続いて、液晶ディスプレ基体７に対して同ブラケット３を止めネジ１５によって取付ける液晶ディスプレイ固定方法が知られている（例えば、特許文献１参照。）。
【０００４】
さらに、他の従来技術として、表示部５を前面側支持体２１に対して接着部材で固定し、同前面側支持体２１が有する支持部２３に形成された係合爪２３ｂを、前カバー１１に係合する表示装置が知られている（例えば、特許文献２参照。）。
【特許文献１】特開２０００‐３０５０６６号公報
【特許文献２】特開２００３‐２５５８５１号公報
【発明の開示】
【発明が解決しようとする課題】
【０００５】
上記従来のパネル型表示装置の取付けにおいては、パネル型表示装置２は、接続部材３を介してフロントキャビネット１に取付けられるため、パネル型表示装置２の重量が、直接フロントキャビネット１にかかっていた。
同様に、上記特許文献１においては、カラー液晶ディスプレイ２の重量が、直接装置の筺体である液晶ディスプレ基体７にかかっていた。上記特許文献２においても、表示部５の重量が、支持部２３の係合爪２３ｂを介して、装置の筺体である前カバー１１にかかっていた。
従って、上記従来技術においては、パネル型表示装置の重量によって、テレビジョンのキャビネットに大きな負荷がかかり、同キャビネットに歪みなどの不良を生じ得たという課題があった。また、キャビネットが外部から受けた負荷が、内部の精密機器であるパネル型表示装置に伝わりやすいという課題もあった。
【０００６】
本発明は、上記課題にかんがみてなされたもので、キャビネットの不良を防止し、かつ、パネル型表示装置を保護することの可能なプラズマテレビジョン、パネル表示型テレビジョンおよびパネル表示型テレビジョン組立方法を提供することを目的とする。
【課題を解決するための手段】
【０００７】
上記目的を達成するため、請求項１の発明は、前面壁の略中央に略矩形の開口を形成したキャビネットと、同開口に表示面を向けた状態で同キャビネット内に配設されるプラズマディスプレイパネルとを備えるプラズマテレビジョンにおいて、長板状部材を上端部位と下端部位とにおいて同一面側に屈曲させ、かつ同屈曲した上端部位および下端部位の各先端部を長板状部材の上端部位と下端部位とを接続する部位と略平行となるように屈曲させた形状であり、略垂直に立設する足部材と接続し上記プラズマテレビジョンの略全体を所定高さ位置に支持するためのブラケットと、背面側において所定の接続部材を介在させて上記ブラケットに固定される上記プラズマディスプレイパネルと、上記プラズマディスプレイパネルの縁部を囲み、上記ブラケットの上端部位および下端部位の各先端部と対向する部位において同ブラケットに対して固定される枠部材と、上記枠部材を内部に収容し同枠部材に対して固定される上記キャビネットとを備える構成としてある。
【０００８】
上記のように構成した請求項１の発明においては、プラズマテレビジョンは、前面壁の略中央に略矩形の開口を形成したキャビネットと、同開口に表示面を向けた状態で同キャビネット内に配設されるプラズマディスプレイパネルとを備える。
かかるプラズマテレビジョンにおいて、本発明は、略垂直に立設する足部材と接続するブラケットが、装置の略全体を所定高さ位置に支持する。同ブラケットは、長板状部材を上端部位と下端部位において同一面側に屈曲させ、かつ同屈曲した上端部位および下端部位の各先端部を長板状部材の上端部位と下端部位とを接続する部位と略平行となるように屈曲させた形状である。
【０００９】
ここで、上記プラズマディスプレイパネルは、その背面側において、所定の接続部材を介在させて上記ブラケットに固定される。一方、上記プラズマディスプレイパネルの縁部を囲む枠部材は、上記ブラケットの上端部位および下端部位の各先端部と対向する部位において同ブラケットに対して固定される。そして、上記ブラケットにプラズマディスプレイパネルと枠部材が固定された状態で、上記キャビネットは枠部材を内部に収容し、同枠部材に対して固定される。
上記構成では、キャビネットと同キャビネットが被せられた枠部材との重量は、ブラケットのみにかかる。同様に、プラズマディスプレイパネルの重量もブラケットのみにかかる。従って、プラズマディスプレイパネルの重量は、枠部材およびキャビネットにはかからない。また、キャビネットに外部から負荷が与えられても、同負荷のプラズマディスプレイパネルへの伝わりは極力抑えられる。
【００１０】
請求項２にかかる発明は、キャビネットと、同キャビネット内に配設されるパネル型表示装置とを備えるパネル表示型テレビジョンであって、上記パネル型表示装置と同パネル型表示装置の縁部を覆う縁部材とは、互いに重量をかけ合わない状態で、パネル表示型テレビジョンの略全体を支持するための支持部材に対して夫々に固定され、上記キャビネットは、上記支持部材に固定された縁部材に対して固定される構成としてある。
【００１１】
上記のように構成した請求項２の発明においては、パネル表示型テレビジョンは、キャビネットと、同キャビネット内に配設されるパネル型表示装置とを備える。
そして、同パネル型表示装置のキャビネット内での配設態様として、本願は、パネル型表示装置と同パネル型表示装置の縁部を覆う縁部材とを、互いに重量をかけ合わない状態で、パネル表示型テレビジョンの略全体を支持するための支持部材に対して固定する。また、キャビネットは、上記支持部材に固定された縁部材に対して固定する。
【００１２】
すなわち、請求項２においては、キャビネットと同キャビネットが固定された縁部材との重量は、支持部材にのみかかっている。同様に、パネル型表示装置の重量も支持部材にのみかかっている。従って、パネル型表示装置の重量は、縁部材およびキャビネットにはかからず、かつ、キャビネットに衝撃等の負荷が与えられても、同負荷のパネル型表示装置への伝わりは極力抑えられる。
【００１３】
請求項３にかかる発明は、上記請求項２に記載のパネル表示型テレビジョンにおいて、上記支持部材は、略垂直に立設する足部材と、同足部材に接続することによりパネル表示型テレビジョンの略全体を所定高さ位置に支持するブラケットとからなる構成としてある。
【００１４】
上記のように構成した請求項３発明においては、上記支持部材は、略垂直に立設する足部材と、同足部材に接続することによりパネル表示型テレビジョンの略全体を空中に支持するブラケットとからなる。従って、同ブラケットに上記パネル型表示装置と縁部材とを夫々固定すれば、両者は、重量を互いにかけ合うこと無く、夫々に  支持部材によって所定高さ位置に支持される。また、キャビネットは縁部材に固定されるため、同キャビネットにもパネル型表示装置の重量はかからない。
【００１５】
請求項４にかかる発明は、上記請求項２または請求項３のいずれかに記載のパネル表示型テレビジョンにおいて、上記パネル型表示装置は、所定の接続部材を介して上記支持部材に固定される構成としてある。
パネル型表示装置と支持部材との間に所定の接続部材を介在させることで、キャビネットに衝撃等の負荷が与えられた場合にパネル型表示装置へ伝わる負荷を、請求項２，３の発明にも増して、さらに抑制することができる。また、パネル型表示装置は、制御基板など種々の部品を備えるため、支持部材との固定に使用可能な部位の面積や位置は限られている。よって、パネル型表示装置と支持部材とを直接に固定し合うより、上記接続部材を用いた方が、パネル型表示装置と支持部材との接続の自由度が上がる。
【００１６】
請求項５にかかる発明は、上記請求項２〜請求項４のいずれかに記載のパネル表示型テレビジョンにおいて、上記ブラケットは、長板状部材を上端部位と下端部位とにおいて同一面側に屈曲させ、かつ同屈曲した上端部位および下端部位の各先端部を長板状部材の上端部位と下端部位とを接続する部位と略平行となるように屈曲させた形状であるとともに、上端部位および下端部位の各先端部において対向する上記縁部材の部位を固定する構成としてある。
【００１７】
上記のように構成した請求項５発明においては、ブラケットは、長板状部材を上端部位と下端部位において同一面側に屈曲させ、かつ同屈曲した上端部位および下端部位の各先端部を長板状部材の上端部位と下端部位とを接続する部位と略平行となるように屈曲させた形状である。そして、上記各先端部を、パネル型表示装置の上下の縁部を覆う縁部材に夫々対向させて固定する。このように上記ブラケットに縁部材を固定すると、長板状部材の上端部位と下端部位とを接続する部位は、縁部材の内側に配設されるパネル型表示装置の盤面と所定の距離を保って略平行となる。上述したように、パネル型表示装置には、制御基板など種々の部品が備えられる。従って、パネル型表示装置とブラケット間に所定の距離を設けておけば、かかる距離によって生じる空間に各部品を配置することができる。
【００１８】
請求項６かかる発明は、上記請求項２〜請求項５のいずれかに記載のパネル表示型テレビジョンにおいて、上記パネル型表示装置は、プラズマディスプレイパネルである構成としてある。
一般に、プラズマディスプレイパネルは、液晶パネル等の他のパネル型表示装置と比較して、背面に実装する各種基板等によって全体の重量が重くなる傾向にある。特に、パネルの大型化が進む昨今では、パネル型表示装置の自重がキャビネット等に与える影響は無視できない。ここで、上記構成においては、重量の重いプラズマディスプレイパネルを採用した場合でも、縁部材およびキャビネットにプラズマディスプレイパネルの重量をかけずに、同プラズマディスプレイパネルをキャビネット内に適切に配設することができる。
【００１９】
本発明をパネル表示型テレビジョンとして装置の面から把握できるのと同時に、その組立ての実行手順としても発明を把握できる。
そこで、請求項７にかかる発明は、キャビネットと、同キャビネット内に配設されるパネル型表示装置とを備えるパネル表示型テレビジョンを組立てるパネル表示型テレビジョン組立方法であって、上記パネル型表示装置と同パネル型表示装置の縁部を覆う縁部材とを、パネル表示型テレビジョンの略全体を支持するための支持部材に対して夫々に固定し、同支持部材に固定された上記縁部材に対し上記キャビネットを固定する構成としてある。
【００２０】
むろん、請求項１の態様を適用して方法の発明を捉えることも可能である。同様に、請求項２に従属する請求項３〜６にかかる発明の態様を適用して、請求項７の発明に従属する発明を捉えることも可能である。
【発明の効果】
【００２１】
以上説明したように、請求項１にかかる発明によれば、キャビネット及び枠部材とプラズマディスプレイパネルとが互いに重量をかけ合うことが無いため、キャビネットの歪みなどの不良やプラズマディスプレイパネルへの負荷を防ぐプラズマテレビジョンを提供することができる。
また、請求項２，７にかかる発明によれば、キャビネット及び縁部材とパネル型表示装置とが互いに重量をかけ合うことが無いため、キャビネットの歪みなどの不良やパネル型表示装置への負荷を防ぐパネル表示型テレビジョン、パネル表示型テレビジョン組立方法を提供することができる。
さらに、請求項３にかかる発明によれば、キャビネット及び縁部材とパネル型表示装置とが互いに重量をかけ合うことが無い状態で、空中に支持することができる。
さらに、請求項４にかかる発明によれば、キャビネットが外部から受けた負荷がパネル型表示装置へ伝わることをより強力に抑え、かつ、パネル型表示装置と支持部材との接続の自由度が上がる。
さらに、請求項５にかかる発明によれば、ブラケットに縁部材を適切に固定できるとともに、パネル型表示装置に各種部品を実装するスペースを確保できる。
さらに、請求項６にかかる発明によれば、キャビネット及び縁部材とプラズマディスプレイパネルとが互いに重量をかけ合うことが無いため、キャビネットの歪みなどの不良やプラズマディスプレイパネルへの負荷を防ぐことができる。
【発明を実施するための最良の形態】
【００２２】
図１は、本願にかかるプラズマテレビジョンの組立を、斜視図により示している。
本願によるテレビジョンの組立の態様は、液晶テレビジョンなど薄型テレビジョン一般について適用可能であるが、本実施形態においては、プラズマテレビジョンを組立てる場合を例に説明を行う。
同図に示すように、プラズマテレビジョン１００は、概略、プラズマディスプレイパネル（ＰＤＰ）１０と、枠体３０とキャビネット４０とを組立てて構成する。キャビネット４０は、フロントキャビネット４１とリアキャビネットとによって構成されるが、同図では、フロントキャビネット４１のみ図示し、リアキャビネットは省略してある。フロントキャビネット４１の前面の略中央には、開口４１ａが形成されており、ＰＤＰ１０は、その前面の表示面１１を同開口４１ａに向けてキャビネット４０内に配設される。
【００２３】
本実施形態では、先ず、ＰＤＰ１０を、その背面側の所定箇所においてブラケット２０に対して固定する。ＰＤＰ１０とブラケット２０との固定手法については後述する。次に、ＰＤＰ１０を支持した状態のブラケット２０と、枠体３０とを固定する。同図に示すように、ブラケット２０の上端である枠体当接面２２ａと下端である枠体当接面２２ｂとが、夫々ＰＤＰ１０の上下の縁部よりも外側に延出している 。そこで、枠体３０の後方から、ブラケット２０に固定されたＰＤＰ１０を接近させ、上記枠体当接面２２ａ，２２ｂを枠体３０の対向する部位に夫々当接させる。そして、当接し合う枠体当接面２２ａ，２２ｂと枠体３０の部位とを夫々に固定する。固定方法は何ら限定されるものではないが、例えば、互いに対向する枠体当接面２２ａ，２２ｂと枠体３０の部位とにネジ穴を設け、同ネジ穴を利用して両者をネジ止めする。
【００２４】
上記枠体３０は、４本の部材から構成される。すなわち、枠体３０の上辺及び下辺となる二本の横部材３１と、枠体３０の左右の辺となる二本の縦部材３２とを枠状に組立てて構成する。ここで、枠体３０は、ＰＤＰ１０の周囲四辺を囲うものであるため、その枠の中にＰＤＰ１０を収容できる大きさに、各横部材３１、縦部材３２は設計される。ただし、後述するように、ＰＤＰ１０と枠体３０とが、互いに自重をかけ合わないようにするため、枠体３０は、ＰＤＰ１０の四辺の縁部が枠体３０の内側壁面３３に接触せずに同ＰＤＰ１０を内部に収容できるだけの大きさに設計する。
【００２５】
ブラケット２０によって、ＰＤＰ１０と枠体３０とが夫々固定されたら、同枠体３０に対してフロントキャビネット４１を固定する。すなわち、フロントキャビネット４１を枠体３０の外側に被せるようにして、両者を複数箇所で固定する。ここでも、固定方法は限定されないが、例えば、枠体３０側にネジ穴を設け、フロントキャビネット４１側にボスを形成し、同ネジ穴と同ボスに形成されたボス穴とをネジ止めして、両者を固定する。或いは、フロントキャビネット４１の内側に形成した爪部を、枠体３０に形成した凹部に引掛けて、両者を固定しても良い。そして、後方からリアキャビネットを枠体３０に対して固定すれば、プラズマテレビジョン１００の略全体の組立が終わる。なお、以下において単にキャビネット４０といった場合は、フロントキャビネット４１とリアキャビネットとの両方を含む表現であるとする。
【００２６】
図２は、ＰＤＰ１０とブラケット２０とを固定する状況を斜視図により示している。
上述したように、ＰＤＰ１０は、その背面側においてブラケット２０に固定される。本実施形態においては、ＰＤＰ１０は、直接ブラケット２０に接して固定されるのではなく、接続部材としてのアタッチメント５０を介在させてブラケット２０に固定される。
【００２７】
図３は、アタッチメント５０を斜視図により示している。
アタッチメント５０は、概略、略矩形板状の基体部５１と、同基体部５１の一面側から略垂直に突出して形成された突出部５２とからなる。突出部５２の長手方向の長さは、基体部５１の長手方向の長さよりも短く、幅方向の長さは、基体部５１の幅方向の長さと略同等である。基体部５１の突出部５２が形成されていない側の面は、アタッチメント５０をＰＤＰ１０の背面側に固定するためのパネル固定面５１ａとなっている。また、基体部５１には、同基体部５１を貫くネジ穴５１ｂが複数箇所に形成されている。すなわち、アタッチメント５０は、パネル固定面５１ａにおいてＰＤＰ１０の背面側の所定部品に当接する。そして、ネジ穴５１ｂ及び所定部品に設けられたネジ穴を利用してＰＤＰ１０に対してネジ止めされる。
【００２８】
一方、突出体５２の上端面５２ａ１の中程には、所定の深さをもって、突出体５２を幅方向に貫通する凹部５３が形成されている。そして、同凹部５３を挟む上端面５２ａ１上の複数箇所には、ネジ穴５２ａ２及びボス５２ａ３が形成されている。以下、上端面５２ａ１及び上端面５２ａ１に形成されたネジ穴５２ａ２とボス５２ａ３を含む部位を、総称としてブラケット固定部５２ａと呼ぶ。
当該構成において、アタッチメント５０は、ブラケット固定部５２ａにおける上端面５２ａ１或いはボス５２ａ３をブラケット２０に当接させ、上記ネジ穴５２ａ２またはボス５２ａ３を利用してブラケット２０に対してネジ止めされる。なお、上端面５２ａ１をブラケット２０に当接する場合には、突出するボス５２ａ３がブラケット２０と衝突することを避けるため、ブラケット２０における当該ボス５２ａ３と対向する部位に、ボス５２ａ３を通過させるための穴を空けておく。
【００２９】
図２に戻って説明を続ける。
同図に示すように、ブラケット２０は、長板状部材を複数箇所で屈曲させて成形されている。具体的には、同長板状部材の上端部位と下端部位とを、同一面側に夫々所定の角度に屈曲させる。そして、同屈曲させた上端部位および下端部位の各先端部を、長板状部材の上端部位と下端部位とを接続する部位と略平行となるように再度屈曲させる。ここで、長板状部材の上端部位と下端部位とを接続する部位を本体部２１とする。また、同本体部２１と略平行となるように屈曲させた上端部位の先端部を上記枠体当接面２２ａとし、本体部２１と略平行となるように屈曲させた下端部位の先端部を上記枠体当接面２２ｂとする。さらに、本体部２１と枠体当接面２２ａとを接続する部位と、本体部２１と枠体当接面２２ｂとを接続する部位とを、ぞれぞれ接続面２３ａ，２３ｂとする。
【００３０】
上記構成において、アタッチメント５０をＰＤＰ１０の背面側の所定位置に固定する。本実施形態では、一つのブラケット２０に対して二つのアタッチメント５０を介在させる。また、ブラケット２０は二本用いられ、かつ、両ブラケット２０は、所定の間隔を空けてその長手方向がＰＤＰ１０の上下方向を向くように固定される。従って、アタッチメント５０は、ＰＤＰ１０背面の右側の上下位置及び、左側の上下位置に、それぞれ計４個固定される。また、アタッチメント５０は、同アタッチメント５０の長手方向がＰＤＰ１０の左右方向を向くように固定するものとする。
【００３１】
アタッチメント５０をＰＤＰ１０に固定したら、ブラケット２０とアタッチメント５０とを固定する。すなわち、ＰＤＰ１０背面の右側の上下位置に固定された二つのアタッチメント５０に、一のブラケット２０の本体部２１であって、接続面２３ａ，２３ｂが屈曲する側の面を接近させる。そして、各アタッチメント５０のブラケット固定部５２ａと本体部２１の所定部位とを当接させて固定する。同様に、ＰＤＰ１０背面の左側の上下位置に固定された二つのアタッチメント５０と、もう一つのブラケット２０とを固定する。
【００３２】
その結果、ＰＤＰ１０は、アタッチメント５０を介して、二本のブラケット２０に固定される。本実施形態では、ブラケット２０の長手方向の長さは、枠体３０の上下幅と略同等に設定されている。そのため、ブラケット２０はＰＤＰ１０と接続した際には、上述したように、枠体当接面２２ａ，２２ｂが、ＰＤＰ１０の上下の縁部よりも上方または下方に夫々延出する。
【００３３】
図４は、ブラケット２０がＰＤＰ１０と枠体３０とを夫々支持する状態を側面図により示している。なお、枠体３０に固定されるキャビネット４０は、図示を省略してある。
これまでに説明した通り、ＰＤＰ１０はアタッチメント５０を介してブラケット２０に固定され、枠体３０は、枠体当接面２２ａ，２２ｂによってブラケット２０に固定される。同図に示すように、ブラケット２０においては、枠体３０を固定する枠体当接面２２ａ，２２ｂは、枠体３０及びＰＤＰ１０の背面と略同一の平面上にあるが、その本体部２１は、ＰＤＰ１０の背面から所定の距離だけ離れた位置にある。その結果、ＰＤＰ１０の背面と本体部２１との間には、一定の空間が確保される。
【００３４】
ＰＤＰ１０の背面側においては、制御回路や電源回路などの基板や各種電子部品を配設するために所定の空間を確保する必要がある。従って、上記ブラケット２０の形状は、その上端と下端において枠体３０を固定するとともに、同枠体３０内に収容されて背面側に各種基板や電子部品を配設するＰＤＰ１０を固定するために、最適な形状の一つであると言える。
【００３５】
同図では、ブラケット２０は、その下方部位において足部材６０と接続している。同足部材６０は、設置面に直接置かれる土台部６１と、同土台部６１から略垂直に立設しブラケット２０と接続する脚部６２とからなる。ブラケット２０と脚部６２との接続態様は様々なものが考えられるが、本実施形態では、次のように接続する。
【００３６】
本体部２１と枠体当接面２２ｂとを接続する接続面２３ｂに、脚部６２が通過可能な大きさの貫通穴２３ｂ１を形成する。また、上記アタッチメント５０の凹部５３も、脚部６２が通過可能な大きさに設計する。すなわち、アタッチメント５０は、ＰＤＰ１０とブラケット２０の間に介在して両者を固定するだけではなく、その凹部５３に脚部６２を通すことにより、プラズマテレビジョン１００を支える足部材６０の位置決めにも用いられる。また、図３に示すように、凹部５３には、アタッチメント５０の突出部５２の側面に向かって開放されている部位において、同凹部５３の幅を同側面に向かうほど幅広とする向きに斜面５３ａが形成されている。そのため、脚部６２を凹部５３に通過させる際に、同斜面５３ａにより、脚部６２が凹部５３の奥方に効率よく案内される。
【００３７】
上記脚部６２を貫通穴２３ｂ１と凹部５３とに通過させ、かつ、同脚部６２と本体部２１との対向する部位同士をネジ７０で強固に固定する。その結果、ブラケット２０は足部材６０と一体となって、ＰＤＰ１０や枠体３０やキャビネット４０を含むプラズマテレビジョン１００の略全体を、所定の高さ位置で空中に支持する。
【００３８】
このように、ＰＤＰ１０と枠体３０とは、設置面から所定の高さ位置において、足部材６０と一体となって装置全体の重量を支えるブラケット２０によって別々に支持されている。また、枠体３０は、ＰＤＰ１０の周囲を囲みつつも、同ＰＤＰ１０に接してはいない。その結果、ＰＤＰ１０と枠体３０とが、自重を他方にかけ合うことは無い。また、キャビネット４０は枠体３０に対して固定されるため、同キャビネット４０とＰＤＰ１０とが、自重を他方にかけ合うことも無い。
【００３９】
従って、ＰＤＰ１０の重量という不要な負荷がキャビネット４０にかかることが防止され、ＰＤＰ１０の重量を受けてキャビネット４０に歪みなどの不良が生じるという問題も無くなる。上述したように、ＰＤＰ１０は、その背面側に制御回路や電源回路などの基板や各種電子部品を積んでおり、全体としての重量も、液晶パネルなどの他の薄型ディスプレイと比較して重いのが通常である。特に、大型サイズのモデルとなれば、ＰＤＰ１０の重さがキャビネット４０に与える影響も非常に大きい。従って、本願の構成を大型モデルのプラズマテレビジョンに適用すれば、キャビネット４０の保護という面で、非常に有用である。
【００４０】
また、キャビネット４０とＰＤＰ１０とが自重を他方にかけ合わないということは、ＰＤＰ１０の保護にも適した構造だと言える。すなわち、外部からキャビネット４０に衝撃が与えられた場合でも、当該衝撃による負荷は、ＰＤＰ１０に伝わる前に殆どブラケット２０によって吸収される。本実施形態では、アタッチメント５０がＰＤＰ１０とブラケット２０との間に介在するため、同アタッチメント５０でも衝撃が吸収される。その結果、キャビネット４０が受けた衝撃のＰＤＰ１０への伝播は極力抑えられ、精密機器たるＰＤＰ１０は、外部の衝撃から効果的に保護される。
【００４１】
さらに、本願には、以下のような効果もある。
従来においては、図５に示すように、ＰＤＰなどのパネル型表示装置２をフロントキャビネット１に対して固定していた。そのため、パネル型表示装置２への部品の取付工程や、パネル型表示装置２に対する整備工程の段階においても、パネル型表示装置２をフロントキャビネット１に固定することで同パネル型表示装置２を支持し、その状態で各作業を行っていた。パネル型表示装置２をフロントキャビネット１に固定した状態で各製造工程を通過させると、各工程において人為的或いは偶発的に様々な衝撃や負荷がフロントキャビネット１にかかってしまう。その結果、最終製品として出荷する際に、フロントキャビネット１の傷や歪み等によって不良品と判断されることもあった。
【００４２】
しかし、本願では、足部材６０と一体となったブラケット２０が、ＰＤＰ１０と枠体３０とを固定する。同足部材６０とブラケット２０によって支持された状態で各工程を通過させれば、キャビネット４０を取付けることなく、キャビネット４０内に収容される装置に対する全ての取付、整備工程を終えることができる。すなわち、製品組立の最終段階でキャビネット４０を取付ければよいため、キャビネット４０に不要な負荷や衝撃がかかる機会が殆ど無くなる。その結果、従来と比較して、キャビネット４０の傷や歪みによって不良品と判断される率が大幅に低下する。
【００４３】
このように、足部材６０と接続するブラケット２０に対し、アタッチメント５０を介在させて、ＰＤＰ１０を固定する。また、ブラケット２０の枠体当接面２２ａ，２２ｂに対して、枠体３０を固定する。そして、最後にキャビネット４０を枠体３０に対して固定する。その結果ＰＤＰ１０の重量を受けることによるキャビネット４０の歪み等の不良を防止し、かつ、キャビネット４０が受けた負荷のＰＤＰ１０への伝播を極力抑えることができる。また、製品の製造過程においても、キャビネット４０への不要な衝撃や負荷を避けることができる。
【図面の簡単な説明】
【００４４】
【図１】本願にかかるプラズマテレビジョンの組立を示した斜視図である。
【図２】ＰＤＰとブラケットとを固定する状況を示した斜視図である。
【図３】アタッチメントを示した斜視図である。
【図４】ブラケットがＰＤＰと枠体を支持する状態を示した側面図である。
【図５】従来における、薄型テレビジョンの組立を示した斜視図である。
【符号の説明】
【００４５】
１０…ＰＤＰ
１１…表示面
２０…ブラケット
２１…本体部
２２ａ，２２ｂ…枠体当接面
２３ａ，２３ｂ…接続面
３０…枠体
３１…横部材
３２…縦部材
４０…キャビネット
４１…フロントキャビネット
４１ａ…開口
５０…アタッチメント
５１…基体部
５１ａ…パネル固定面
５２…突出部
５２ａ…ブラケット固定部
５３…凹部
６０…足部材
６１…土台部
６２…脚部
１００…プラズマテレビジョン
【図１】
2005308797.tif 000003
【図２】
2005308797.tif 000004
【図３】
2005308797.tif 000005
【図４】
2005308797.tif 000006
【図５】
2005308797.tif 000007